(57)【要約】【課題】液晶素子の応答時間を短縮でき、ひいてはディスク判別動作の動作時間を短縮できる収差補正装置を提供する。【解決手段】液晶素子５は、ＣＤ、ＤＶＤ、ＢＤの各ディスクで発生する球面収差の補正を行う位相補正特性を有し、制御部１７は、所定の位相補正順番に従い、各ディスクに対応した位相補正特性に応じてＣＤ用ＬＤ８、ＤＶＤ用ＬＤ９、ＢＤ用ＬＤ１０の各光源から順次レーザビームを発光させ、各光源から射出され対物レンズ３により集光される光ビームの球面収差を補正するための駆動電圧を液晶素子５の位相変化領域に順次印加させ、所定の位相補正順番における１番目の位相補正特性に対応する駆動電圧の初期駆動電圧からの位相変化領域毎の変化量絶対値のうちの最大値と、各位相補正特性間での同様の各最大値との総和は、あらゆる位相補正順番についての同様の各総和のうち最小である。【選択図】図１
2007280541.tif 000002
【特許請求の範囲】
【請求項１】
ｎ種類（ｎは２以上の自然数）の各ディスクに対応した各光源と、該各光源から射出される光ビームが透過し複数の位相変化領域を有する液晶素子と、該液晶素子を透過した光ビームを集光させる対物レンズと、を備え
前記液晶素子は各ディスクで発生する球面収差の補正を行う位相補正特性を有し、
所定の位相補正順番に従い、前記各ディスクに対応した位相補正特性に応じて前記各光源から順次光ビームを射出させ、前記各光源から射出され前記対物レンズにより集光される光ビームの球面収差を補正するための駆動電圧を前記位相変化領域に順次印加するような制御手段を備え、
前記所定の位相補正順番における１番目の位相補正特性に対応する前記光源から射出され前記対物レンズにより集光される光ビームの球面収差を補正するための前記位相変化領域に印加される駆動電圧の、前記位相変化領域に印加される初期駆動電圧からの前記位相変化領域毎の変化量の絶対値のうちの最大値と、
前記所定の位相補正順番におけるｋ番目（ｋは２からｎまでの自然数）の位相補正特性に対応する前記光源から射出され前記対物レンズにより集光される光ビームの球面収差を補正するための前記位相変化領域に印加される駆動電圧の、前記所定の位相補正順番におけるｋ−１番目の位相補正特性に対応する前記光源から射出され前記対物レンズにより集光される光ビームの球面収差を補正するための前記位相変化領域に印加される駆動電圧からの前記位相変化領域毎の変化量の絶対値のうちの最大値をｋを２からｎまで順次変化させて求めた各最大値の和と、の総和は、
位相補正のあらゆる順番について同様に求められる各総和のうちで最小である、
ことを特徴とする収差補正装置。
【請求項２】
位相補正順番における１番目の位相補正特性に対応する前記光源から射出され前記対物レンズにより集光される光ビームの球面収差を補正するための前記位相変化領域に印加される駆動電圧のうち前記光ビームが透過する各位相変化領域に印加される各駆動電圧は、前記球面収差を補正するための光ビームの周期性により複数存在する駆動電圧のうち初期駆動電圧からの変化量の絶対値が最小である駆動電圧であり、
前記位相補正順番におけるｋ番目の位相補正特性に対応する前記光源から射出され前記対物レンズにより集光される光ビームの球面収差を補正するための前記位相変化領域に印加される駆動電圧のうち前記光ビームが透過する各位相変化領域に印加される各駆動電圧は、前記球面収差を補正するための光ビームの周期性により複数存在する駆動電圧のうち、前記位相補正順番におけるｋ−１番目の位相補正特性に対応する前記光源から射出され前記対物レンズにより集光される光ビームの球面収差を補正するための駆動電圧からの変化量の絶対値が最小である駆動電圧である、
ことを特徴とする請求項１に記載の収差補正装置。
【請求項３】
請求項１または請求項２に記載の収差補正装置を有するディスク装置。
【請求項４】
ｎ種類（ｎは２以上の自然数）の各ディスクに対応した各光源と、該各光源から射出される光ビームが透過し複数の位相変化領域を有する液晶素子と、該液晶素子を透過した光ビームを集光させる対物レンズと、前記各光源を駆動させる光源駆動手段と、前記液晶素子を駆動させる液晶ドライバと、制御部と、を備え、前記液晶素子は各ディスクで発生する球面収差の補正を行う位相補正特性を有するような収差補正装置の前記制御部を、
所定の位相補正順番に従い、前記光源駆動手段が前記各ディスクに対応した位相補正特性に応じて前記各光源から順次光ビームを射出させるように前記光源駆動手段に制御信号を出力する手段、および
前記各光源から射出され前記対物レンズにより集光される光ビームの球面収差を補正するための駆動電圧を前記液晶ドライバが前記位相変化領域に順次印加するように前記液晶ドライバに制御信号を出力する手段、
として機能させるためのプログラムであって、
前記所定の位相補正順番における１番目の位相補正特性に対応する前記光源から射出され前記対物レンズにより集光される光ビームの球面収差を補正するための前記位相変化領域に印加される駆動電圧の、前記位相変化領域に印加される初期駆動電圧からの前記位相変化領域毎の変化量の絶対値のうちの最大値と、
前記所定の位相補正順番におけるｋ番目（ｋは２からｎまでの自然数）の位相補正特性に対応する前記光源から射出され前記対物レンズにより集光される光ビームの球面収差を補正するための前記位相変化領域に印加される駆動電圧の、前記所定の位相補正順番におけるｋ−１番目の位相補正特性に対応する前記光源から射出され前記対物レンズにより集光される光ビームの球面収差を補正するための前記位相変化領域に印加される駆動電圧からの前記位相変化領域毎の変化量の絶対値のうちの最大値をｋを２からｎまで順次変化させて求めた各最大値の和と、の総和は、
位相補正のあらゆる順番について同様に求められる各総和のうちで最小である、
ことを特徴とするプログラム。
【発明の詳細な説明】
【技術分野】
【０００１】
本発明は、収差補正装置およびディスク装置に関する。
【背景技術】
【０００２】
近年、ＣＤやＤＶＤといったディスクが普及し、一般的に用いられるようになっている。そして、ディスクの情報量を増やすために、ディスクの高密度化に関する研究が進められ、例えば、高品位のＤＶＤであるＨＤ−ＤＶＤやブルーレイディスク（以下、ＢＤという）といった高密度化されたディスクも実用化されつつある。
【０００３】
このようなディスクの記録再生を行うにあたっては、ディスクに光ビームを照射して情報の記録や情報の読み取りを可能とする光ピックアップが用いられるが、ディスクの種類によって、光ピックアップに用いられる対物レンズの開口数（ＮＡ）や光源の波長が異なってくる。例えば、ＣＤに対しては、対物レンズのＮＡが０．５０、光源の波長が７８０ｎｍ、ＤＶＤに対しては、対物レンズのＮＡが０．６５、光源の波長が６５０ｎｍ、ＨＤ−ＤＶＤに対しては、対物レンズのＮＡが０．６５、光源の波長が４０５ｎｍ、ＢＤに対しては、対物レンズのＮＡが０．８５、光源の波長が４０５ｎｍとなる。
【０００４】
このように、ディスクの種類によって、用いられる対物レンズのＮＡや波長が異なるために、ディスク毎に異なる光ピックアップを用いることも考えられるが、１つの光ピックアップで複数種類のディスクについて情報の読み取り等が行える方が便利であり、そのような光ピックアップが多く開発されている。この中には、例えば、特許文献１に示されているように、１つの対物レンズで、複数種類のディスクについて情報の書き込みや読み取りを行う光ピックアップがある。
【特許文献１】特開２００５−３１７１２０号公報
【発明の開示】
【発明が解決しようとする課題】
【０００５】
１つの対物レンズで複数種類のディスクに対応しようとすると、球面収差の発生が問題となるので、光ピックアップの光路中に液晶素子を設けて、ディスクの種類に応じて液晶素子の駆動電圧を制御し球面収差を補正することが考えられる。ここで、このような液晶素子を設けた光ピックアップを備えるディスク装置において再生や記録前にディスク判別を行う際、各ディスクに対応した各光源を順次発光させ、それに合わせて液晶素子の駆動電圧を切り換えながら、ディスク反射光に基づく信号を検出する必要がある。液晶素子には応答遅れがあるため、液晶素子の駆動電圧を切り換える順番によっては駆動電圧の変化量が大きくなり、液晶素子の応答時間が長くなり、ひいてはディスク判別動作の動作時間が長くなるという問題がある。
【０００６】
上記問題点を鑑み、本発明は、ディスク判別動作の動作時間を短縮できる収差補正装置およびディスク装置を提供することを目的とする。
【課題を解決するための手段】
【０００７】
上記目的を達成するために本発明の収差補正装置は、ｎ種類（ｎは２以上の自然数）の各ディスクに対応した各光源と、該各光源から射出される光ビームが透過し複数の位相変化領域を有する液晶素子と、該液晶素子を透過した光ビームを集光させる対物レンズと、を備え
前記液晶素子は各ディスクで発生する球面収差の補正を行う位相補正特性を有し、
所定の位相補正順番に従い、前記各ディスクに対応した位相補正特性に応じて前記各光源から順次光ビームを射出させ、前記各光源から射出され前記対物レンズにより集光される光ビームの球面収差を補正するための駆動電圧を前記位相変化領域に順次印加するような制御手段を備え、
前記所定の位相補正順番における１番目の位相補正特性に対応する前記光源から射出され前記対物レンズにより集光される光ビームの球面収差を補正するための前記位相変化領域に印加される駆動電圧の、前記位相変化領域に印加される初期駆動電圧からの前記位相変化領域毎の変化量の絶対値のうちの最大値と、
前記所定の位相補正順番におけるｋ番目（ｋは２からｎまでの自然数）の位相補正特性に対応する前記光源から射出され前記対物レンズにより集光される光ビームの球面収差を補正するための前記位相変化領域に印加される駆動電圧の、前記所定の位相補正順番におけるｋ−１番目の位相補正特性に対応する前記光源から射出され前記対物レンズにより集光される光ビームの球面収差を補正するための前記位相変化領域に印加される駆動電圧からの前記位相変化領域毎の変化量の絶対値のうちの最大値をｋを２からｎまで順次変化させて求めた各最大値の和と、の総和は、
位相補正のあらゆる順番について同様に求められる各総和のうちで最小である、
ことを特徴とする。
【０００８】
このような構成によれば、液晶素子の応答時間を短縮でき、ひいてはディスク判別動作の動作時間を短縮できる。
【０００９】
また、本発明の収差補正装置は、上記構成において、位相補正順番における１番目の位相補正特性に対応する前記光源から射出され前記対物レンズにより集光される光ビームの球面収差を補正するための前記位相変化領域に印加される駆動電圧のうち前記光ビームが透過する各位相変化領域に印加される各駆動電圧は、前記球面収差を補正するための光ビームの周期性により複数存在する駆動電圧のうち初期駆動電圧からの変化量の絶対値が最小である駆動電圧であり、
前記位相補正順番におけるｋ番目の位相補正特性に対応する前記光源から射出され前記対物レンズにより集光される光ビームの球面収差を補正するための前記位相変化領域に印加される駆動電圧のうち前記光ビームが透過する各位相変化領域に印加される各駆動電圧は、前記球面収差を補正するための光ビームの周期性により複数存在する駆動電圧のうち、前記位相補正順番におけるｋ−１番目の位相補正特性に対応する前記光源から射出され前記対物レンズにより集光される光ビームの球面収差を補正するための駆動電圧からの変化量の絶対値が最小である駆動電圧である、
ことを特徴とする。
【００１０】
このような構成によれば、液晶素子の応答時間をより大きく短縮でき、ひいてはディスク判別動作の動作時間をより大きく短縮できる。
【発明の効果】
【００１１】
本発明の収差補正装置によれば、ディスク判別動作の動作時間を短縮できる。
【発明を実施するための最良の形態】
【００１２】
以下、本発明に係る実施形態について図面を参照し説明する。図１に、本発明に係るディスク再生装置のブロック図を示す。
【００１３】
光ピックアップ２は、対物レンズ３、アクチュエータ４、液晶素子５、アパーチャ６、受光部７、ＣＤ用ＬＤ（レーザダイオード）８、ＤＶＤ用ＬＤ９、ＢＤ用ＬＤ１０を備える。
【００１４】
ＣＤ用ＬＤ８は、波長が７８０ｎｍであるＣＤ用のレーザビームを射出する。ＤＶＤ用ＬＤ９は、波長が６５０ｎｍであるＤＶＤ用のレーザビームを射出する。ＢＤ用ＬＤ１０は、波長が４０５ｎｍであるＢＤ用のレーザビームを射出する。
【００１５】
アパーチャ６は、入射する光の波長に応じて開口制限する素子であり、ＣＤ用ＬＤ８およびＤＶＤ用ＬＤ９から射出されたレーザビームを開口制限し、液晶素子５に射出させる。また、アパーチャ６は、ＢＤ用ＬＤ１０から射出されたレーザビームは素通しさせ、液晶素子５に射出させる。
【００１６】
液晶素子５は、透明な２つ電極とこれらの電極に挟まれた液晶とを備える。両方の電極が複数の同心円状の分割領域から構成されていてもよいし、片方の電極が複数の同心円状の分割領域から構成され、もう片方の電極が分割されていない１枚の共通電極となっていてもよい。このような電極パターンにより液晶素子５は複数の位相変化領域を有することとなり、位相変化領域毎に駆動電圧が印加されることにより各位相変化領域に入射する光は位相を変化させられて各位相変化領域から射出される。
【００１７】
ＢＤ用ＬＤ１０から射出されアパーチャ６を素通りしたレーザビームは、液晶素子５が有する全ての位相変化領域に入射し位相を変化させられて対物レンズ３に入射する。また、ＤＶＤ用ＬＤ９から射出されアパーチャ６で開口制限されたレーザビームは、上記ＢＤ用のレーザビームが入射する範囲よりも内周側に狭い範囲で液晶素子５が有する位相変化領域に入射し位相を変化させられて対物レンズ３に入射する。また、ＣＤ用ＬＤ８から射出されアパーチャ６で開口制限されたレーザビームは、上記ＤＶＤ用のレーザビームが入射する範囲よりもさらに内周側に狭い範囲で液晶素子５が有する位相変化領域に入射し位相を変化させられて対物レンズ３に入射する。
【００１８】
対物レンズ３は、液晶素子５から入射されたレーザビームをディスク１上に集光させる。そして、ディスク１で反射されたレーザビームは対物レンズ３、液晶素子５、アパーチャ６を透過した後、受光部７で受光される。
【００１９】
受光部７は、受光したレーザビームを電流信号に変換しＲＦアンプ１３に送出する。ＲＦアンプ１３は、受光部７からの電流信号に基づきフォーカスエラー信号、トラッキングエラー信号、全光量信号を生成して制御部１７に送出する。
【００２０】
制御部１７は、フォーカスエラー信号およびトラッキングエラー信号に基づきフォーカス駆動信号およびトラッキング駆動信号を生成し、アクチュエータドライバ１１に送出する。アクチュエータドライバ１１は、フォーカス駆動信号およびトラッキング駆動信号に基づき光ピックアップ２が有するアクチュエータ４を駆動させる。アクチュエータ４の駆動により対物レンズ３がフォーカス方向およびトラッキング方向に変位する。
【００２１】
また、制御部１７は、液晶ドライバ１２に制御信号を送出し、液晶ドライバ１２は、制御信号に基づき液晶素子５に駆動電圧を印加する。また、制御部１７は、ＢＤ用ＬＤドライバ１４、ＤＶＤ用ＬＤドライバ１５、ＣＤ用ＬＤドライバ１６それぞれに制御信号を送出し、ＢＤ用ＬＤドライバ１４、ＤＶＤ用ＬＤドライバ１５、ＣＤ用ＬＤドライバ１６はそれぞれ制御信号に基づきＢＤ用ＬＤ１０、ＤＶＤ用ＬＤ９、ＣＤ用ＬＤ８を駆動させる。
【００２２】
また、制御部１７は、全光量信号をデジタル信号に変換し、デジタル信号に対してディスクの種類に応じた復調処理、誤り訂正処理を施して再生処理部１８に送出する。再生処理部１８は、制御部１７からのデジタル信号に対してディスクの種類に応じた復号化処理を施し、再生情報を出力する。
【００２３】
次に、以上のような構成の本発明に係るディスク再生装置のディスク判別動作について図２のフローチャートに沿って説明する。なお、本ディスク判別動作は、不図示のメモリに
記憶されたプログラムを制御部１７が実行することにより行われる。
【００２４】
ここで、液晶素子５が有する各位相変化領域には０Ｖの初期駆動電圧が印加されている。まず、ステップＳ２０１で、制御部１７は、ＢＤ用ＬＤドライバ１４に制御信号を送出し、ＢＤ用ＬＤドライバ１４がＢＤ用ＬＤ１０を駆動させ、ＢＤ用ＬＤ１０からレーザビームが射出される。
【００２５】
次に、ステップＳ２０２で、制御部１７は、液晶ドライバ１２に制御信号を送出し、液晶ドライバ１２は所定のＢＤ用の駆動電圧を液晶素子５が有する各位相変化領域に印加する。これにより、ＢＤ用ＬＤ１０から射出され、アパーチャ６、液晶素子５を透過し、対物レンズ３で集光されるレーザビームの球面収差が補正される。
【００２６】
そして、ステップＳ２０３で、制御部１７は、アクチュエータドライバ１１にフォーカス駆動信号を送出し、対物レンズ３がディスク１に近づく方向に変位する。このとき、制御部１７は、ＲＦアンプ１３が生成するフォーカスエラー信号および全光量信号を取得する。
【００２７】
そして、ステップＳ２０４で、制御部１７は、上記ステップＳ２０３で取得されたフォーカスエラー信号の振幅を検出し、上記ステップＳ２０３で取得された全光量信号の最大値を検出する。
【００２８】
次に、ステップＳ２０５で、制御部１７は、ＢＤ用ＬＤドライバ１４に制御信号を送出し、ＢＤ用ＬＤドライバ１４はＢＤ用ＬＤ１０の駆動を停止させ、ＢＤ用ＬＤ１０からのレーザビームの射出が停止する。そして、制御部１７は、ＣＤ用ＬＤドライバ１６に制御信号を送出し、ＣＤ用ＬＤドライバ１６がＣＤ用ＬＤ８を駆動させ、ＣＤ用ＬＤ８からレーザビームが射出される。
【００２９】
次に、ステップＳ２０６で、制御部１７は、液晶ドライバ１２に制御信号を送出し、液晶ドライバ１２は所定のＣＤ用の駆動電圧を液晶素子５が有する各位相変化領域に印加する。これにより、ＣＤ用ＬＤ８から射出され、アパーチャ６、液晶素子５を透過し、対物レンズ３で集光されるレーザビームの球面収差が補正される。
【００３０】
そして、ステップＳ２０７で、制御部１７は、アクチュエータドライバ１１にフォーカス駆動信号を送出し、対物レンズ３がディスク１に近づく方向に変位する。このとき、制御部１７は、ＲＦアンプ１３が生成するフォーカスエラー信号および全光量信号を取得する。
【００３１】
そして、ステップＳ２０８で、制御部１７は、上記ステップＳ２０７で取得されたフォーカスエラー信号の振幅を検出し、上記ステップＳ２０７で取得された全光量信号の最大値を検出する。
【００３２】
次に、ステップＳ２０９で、制御部１７は、ＣＤ用ＬＤドライバ１６に制御信号を送出し、ＣＤ用ＬＤドライバ１６はＣＤ用ＬＤ８の駆動を停止させ、ＣＤ用ＬＤ８からのレーザビームの射出が停止する。そして、制御部１７は、ＤＶＤ用ＬＤドライバ１５に制御信号を送出し、ＤＶＤ用ＬＤドライバ１５がＤＶＤ用ＬＤ９を駆動させ、ＤＶＤ用ＬＤ９からレーザビームが射出される。
【００３３】
次に、ステップＳ２１０で、制御部１７は、液晶ドライバ１２に制御信号を送出し、液晶ドライバ１２は所定のＤＶＤ用の駆動電圧を液晶素子５が有する各位相変化領域に印加する。これにより、ＤＶＤ用ＬＤ９から射出され、アパーチャ６、液晶素子５を透過し、対物レンズ３で集光されるレーザビームの球面収差が補正される。
【００３４】
そして、ステップＳ２１１で、制御部１７は、アクチュエータドライバ１１にフォーカス駆動信号を送出し、対物レンズ３がディスク１に近づく方向に変位する。このとき、制御部１７は、ＲＦアンプ１３が生成するフォーカスエラー信号および全光量信号を取得する。
【００３５】
そして、ステップＳ２１２で、制御部１７は、上記ステップＳ２１１で取得されたフォーカスエラー信号の振幅を検出し、上記ステップＳ２１１で取得された全光量信号の最大値を検出する。
【００３６】
次に、ステップＳ２１３で、制御部１７は、上記ステップＳ２０４で検出されたフォーカスエラー信号の振幅と全光量信号の最大値との比、上記ステップＳ２０８で検出されたフォーカスエラー信号の振幅と全光量信号の最大値との比、上記ステップＳ２１２で検出されたフォーカスエラー信号の振幅と全光量信号の最大値との比をそれぞれ算出し、算出された値の大小関係に基づきディスク１がＢＤ、ＤＶＤ、ＣＤのいずれであるかを判別する。以上でディスク判別動作は完了する。
【００３７】
ここで、上記ディスク判別動作においてはＢＤ、ＣＤ、ＤＶＤの順番でレーザビームの射出および液晶素子の駆動を行っているが、この順番はディスク再生装置の設計段階において図３のようなフローにより決定される。
【００３８】
ここで、図４は、対物レンズで集光される各ディスク用のレーザビームを球面収差補正するための位相変化量を、液晶素子が有する位相変化領域毎に示している。そして、このような位相変化量に対応して位相変化領域毎に駆動電圧が決定される。以下、各ディスクについて位相変化領域毎の駆動電圧が予め決定されているものとする。
【００３９】
まず、図３のステップＳ３０１で、各位相変化領域における各初期駆動電圧から１つ目のディスク（例えば、ＢＤ）用の各駆動電圧への各変化量の絶対値のうちの最大値を求める。
【００４０】
そして、ステップＳ３０２で、各位相変化領域における１つ目のディスク用の各駆動電圧から２つ目のディスク（例えば、ＣＤ）用の各駆動電圧への各変化量の絶対値のうちの最大値を求める。
【００４１】
そして、ステップＳ３０３で、各位相変化領域における２つ目のディスク用の各駆動電圧から３つ目のディスク（例えば、ＤＶＤ）用の各駆動電圧への各変化量の絶対値のうちの最大値を求める。
【００４２】
そして、ステップＳ３０４で、上記ステップＳ３０１〜Ｓ３０３で求めた各最大値の総和を求める。
【００４３】
そして、ステップＳ３０５で、全てのディスクの順番について上記ステップＳ３０１〜Ｓ３０４を実施したかどうかを判定し、まだ全てのディスクの順番について実施していなければ（ステップＳ３０５のＮ）、ステップＳ３０６で、ディスクの順番を変更し（例えば、ＢＤ、ＣＤ、ＤＶＤの順からＢＤ、ＤＶＤ、ＣＤの順に変更）、同様に上記ステップＳ３０１〜Ｓ３０４を実施する。
【００４４】
そして、ステップＳ３０５で、全てのディスクの順番について上記ステップＳ３０１〜Ｓ３０４を実施していれば（ステップＳ３０５のＹ）、ステップＳ３０７に進む。そして、ステップＳ３０７で、全てのディスクの順番について上記ステップＳ３０４で求めた最大値の総和のうち最大値の総和が最小となるようなディスクの順番を特定する。
【００４５】
前述した図２のディスク判別動作は、上記ステップＳ３０７でＢＤ、ＣＤ、ＤＶＤの順番のときに最大値の総和が最小となった場合であり、ＢＤ用、ＣＤ用、ＤＶＤ用の順番でレーザビームを射出し液晶素子を駆動している。ここで、液晶素子の駆動時は、前述した各ディスクについて予め決定された位相変化領域毎の駆動電圧が各位相変化領域に印加される。
【００４６】
これにより、ディスク判別動作における液晶素子の応答時間をなるべく短縮することができ、ひいてはディスク判別動作の動作時間をなるべく短縮することができる。
【００４７】
また、ディスクの順番は図５に示すようなフローによって決定されてもよい。
【００４８】
まず、ステップＳ５０１で、１つ目のディスク（例えばＢＤ）用の液晶素子の駆動電圧を次のように決定する。１つ目のディスク用のレーザビームが透過する一つの位相変化領域における対物レンズで集光される１つ目のディスク用のレーザビームの球面収差を補正するための位相変化量はレーザの周期性により複数存在する。例えば、球面収差を補正するための位相変化量が５０°であれば、−３１０°なども球面収差を補正するための位相変化量となる。それらの位相変化量に対応する駆動電圧のうち、その位相変化領域における初期駆動電圧からの変化量の絶対値が最小のものをその位相変化領域における駆動電圧として決定し、同様のことを１つ目のディスク用のレーザビームが透過する位相変化領域毎に行い、レーザビームが透過する範囲の各位相変化領域における駆動電圧を決定する。そして、１つ目のディスクがＣＤまたはＤＶＤであり、１つ目のディスク用のレーザビームが透過しない位相変化領域が存在する場合は、１つ目のディスク用のレーザビームが透過しない範囲の位相変化領域における駆動電圧は、その位相変化領域における初期駆動電圧と同じ電圧に決定する。
【００４９】
次に、ステップＳ５０２で、２つ目のディスク（例えばＣＤ）用の液晶素子の駆動電圧を次のように決定する。２つ目のディスク用のレーザビームが透過する一つの位相変化領域における対物レンズで集光される２つ目のディスク用のレーザビームの球面収差を補正するためのレーザの周期性により複数存在する位相変化量に対応する駆動電圧のうち、上記ステップＳ５０１で決定された１つ目のディスク用のその位相変化領域における駆動電圧からの変化量の絶対値が最小のものをその位相変化領域における駆動電圧として決定し、同様のことを２つ目のディスク用のレーザビームが透過する位相変化領域毎に行い、レーザビームが透過する範囲の各位相変化領域における駆動電圧を決定する。そして、２つ目のディスクがＣＤまたはＤＶＤであり、２つ目のディスク用のレーザビームが透過しない位相変化領域が存在する場合は、２つ目のディスク用のレーザビームが透過しない範囲の位相変化領域における駆動電圧は、上記ステップＳ５０１で決定された１つ目のディスク用のその位相変化領域における駆動電圧と同じ電圧に決定する。
【００５０】
次に、ステップＳ５０３で、３つ目のディスク（例えばＤＶＤ）用の液晶素子の駆動電圧を次のように決定する。３つ目のディスク用のレーザビームが透過する一つの位相変化領域における対物レンズで集光される３つ目のディスク用のレーザビームの球面収差を補正するためのレーザの周期性により複数存在する位相変化量に対応する駆動電圧のうち、上記ステップＳ５０２で決定された２つ目のディスク用のその位相変化領域における駆動電圧からの変化量の絶対値が最小のものをその位相変化領域における駆動電圧として決定し、同様のことを３つ目のディスク用のレーザビームが透過する位相変化領域毎に行い、レーザビームが透過する範囲の各位相変化領域における駆動電圧を決定する。そして、３つ目のディスクがＣＤまたはＤＶＤであり、３つ目のディスク用のレーザビームが透過しない位相変化領域が存在する場合は、３つ目のディスク用のレーザビームが透過しない範囲の位相変化領域における駆動電圧は、上記ステップＳ５０２で決定された２つ目のディスク用のその位相変化領域における駆動電圧と同じ電圧に決定する。
【００５１】
次に、ステップＳ５０４で、各位相変化領域における各初期駆動電圧から上記ステップＳ５０１で決定された１つ目のディスク用の各駆動電圧への各変化量の絶対値のうちの最大値を求める。
【００５２】
そして、ステップＳ５０５で、各位相変化領域における上記ステップＳ５０１で決定された１つ目のディスク用の各駆動電圧から上記ステップＳ５０２で決定された２つ目のディスク用の各駆動電圧への各変化量の絶対値のうちの最大値を求める。
【００５３】
そして、ステップＳ５０６で、各位相変化領域における上記ステップＳ５０２で決定された２つ目のディスク用の各駆動電圧から上記ステップＳ５０３で決定された３つ目のディスク用の各駆動電圧への各変化量の絶対値のうちの最大値を求める。
【００５４】
そして、ステップＳ５０７で、上記ステップＳ５０４〜Ｓ５０６で求めた各最大値の総和を求める。
【００５５】
そして、ステップＳ５０８で、全てのディスクの順番について上記ステップＳ５０１〜Ｓ５０７を実施したかどうかを判定し、まだ全てのディスクの順番について実施していなければ（ステップＳ５０８のＮ）、ステップＳ５０９で、ディスクの順番を変更し（例えば、ＢＤ、ＣＤ、ＤＶＤの順からＢＤ、ＤＶＤ、ＣＤの順に変更）、同様に上記ステップＳ５０１〜Ｓ５０７を実施する。
【００５６】
そして、ステップＳ５０８で、全てのディスクの順番について上記ステップＳ５０１〜Ｓ５０７を実施していれば（ステップＳ５０８のＹ）、ステップＳ５１０に進む。そして、ステップＳ５１０で、全てのディスクの順番について上記ステップＳ５０７で求めた最大値の総和のうち最大値の総和が最小となるようなディスクの順番を特定する。
【００５７】
上記ステップＳ５１０で例えば、ＢＤ、ＣＤ、ＤＶＤの順番のときに最大値の総和が最小となった場合は、ディスク判別動作時、前述した図２のようにＢＤ用、ＣＤ用、ＤＶＤ用の順番でレーザビームを射出し液晶素子を駆動する。ここで、液晶素子の駆動時は、１つ目のディスクがＢＤ、２つ目のディスクがＣＤ、３つ目のディスクがＤＶＤとして上記ステップＳ５０１〜Ｓ５０３で決定された各ディスク用の位相変化領域毎の駆動電圧が各位相変化領域に印加される。
【００５８】
これにより、ディスク判別動作における液晶素子の応答時間をより大きく短縮することができ、ひいてはディスク判別動作の動作時間をより大きく短縮することができる。
【図面の簡単な説明】
【００５９】
【図１】は、本発明に係るディスク再生装置のブロック図である。
【図２】は、ディスク判別動作の動作手順を示すフローチャートである。
【図３】は、ディスクの順番の決定方法を示すフローチャートである。
【図４】は、球面収差補正のための位相変化量を位相変化領域毎に示す図である。
【図５】は、ディスクの順番の決定方法の他の方法を示すフローチャートである。
【符号の説明】
【００６０】
１    ディスク
２    光ピックアップ
３    対物レンズ
４    アクチュエータ
５    液晶素子
６    アパーチャ
７    受光部
８    ＣＤ用ＬＤ
９    ＤＶＤ用ＬＤ
１０    ＢＤ用ＬＤ
１１    アクチュエータドライバ
１２    液晶ドライバ
１３    ＲＦアンプ
１４    ＢＤ用ＬＤドライバ
１５    ＤＶＤ用ＬＤドライバ
１６    ＣＤ用ＬＤドライバ
１７    制御部
１８    再生処理部
【図１】
2007280541.tif 000003
【図２】
2007280541.tif 000004
【図３】
2007280541.tif 000005
【図４】
2007280541.tif 000006
【図５】
2007280541.tif 000007